(57)【要約】  この発明に係わるスイッチギヤは、多段積された遮断器４，５をそれぞれ収納する複数の遮断器コンパートメント２，３と、遮断器コンパートメント２，３の上方側にそれぞれ配置された制御機器コンパートメント６，７と、遮断器コンパートメント２，３にそれぞれ設けられた遮断器扉８，１０と、制御機器コンパートメント６，７にそれぞれ設けられた制御機器扉９，１１とを有するスイッチギヤであって、最下段側の制御機器扉１１に複数の制御機器操作パネル４５，５０が配置され、制御機器コンパートメント６，７のそれぞれの制御機器を操作するものである。
2019123641.tif 000002
【特許請求の範囲】
【請求項１】
多段積された遮断器をそれぞれ収納する複数の遮断器コンパートメントと、前記遮断器コンパートメントの上方側にそれぞれ配置された制御機器コンパートメントと、前記遮断器コンパートメントにそれぞれ設けられた遮断器扉と、前記制御機器コンパートメントにそれぞれ設けられた制御機器扉とを有するスイッチギヤであって、最下段側の前記制御機器扉に複数の制御機器操作パネルが配置され、前記制御機器コンパートメントのそれぞれの制御機器を操作することを特徴とするスイッチギヤ。
【請求項２】
多段積された遮断器をそれぞれ収納する複数の遮断器コンパートメントと、前記遮断器コンパートメントの上方側にそれぞれ配置された制御機器コンパートメントと、前記遮断器コンパートメントにそれぞれ設けられた遮断器扉と、前記制御機器コンパートメントにそれぞれ設けられた制御機器扉とを有するスイッチギヤであって、最下段側の前記制御機器扉に配置された前記制御機器コンパートメントのそれぞれの制御機器を操作する制御機器操作パネルと、上段側の前記制御機器操作パネルを目視により確認可能な第１識別表示体と、下段側の前記制御機器操作パネルを目視により確認可能な第２識別表示体とを備えたことを特徴とするスイッチギヤ。
【請求項３】
複数の前記制御機器操作パネルは水平方向に対し同じ高さ位置に配置されたことを特徴とする請求項１または請求項２に記載のスイッチギヤ。
【請求項４】
複数の前記制御機器操作パネルは水平方向に対し相違する高さ位置に配置されたことを特徴とする請求項１または請求項２に記載のスイッチギヤ。
【請求項５】
前記第１識別表示体は一方側の前記制御機器操作パネルから上段側に向けて配線された配線模擬表示からなり、前記第２識別表示体は他方側の前記制御機器操作パネルから下段側に向けて配線された配線模擬表示からなることを特徴とする請求項２に記載のスイッチギヤ。
【請求項６】
前記第１識別表示体は一方側の前記制御機器操作パネルの周囲を囲繞し矢視が上段側に向いた矢印表示からなり、前記第２識別表示体は他方側の前記制御機器操作パネルの周囲を囲繞し矢視が下段側に向いた矢印表示からなることを特徴とする請求項２に記載のスイッチギヤ。
【請求項７】
前記第１識別表示体は一方側の前記制御機器操作パネルの左側に位置し矢視が上段側に向いた矢印表示からなり、前記第２識別表示体は他方側の前記制御機器操作パネルの右側に位置し矢視が下段側に向いた矢印表示からなることを特徴とする請求項２に記載のスイッチギヤ。
【請求項８】
上段側に配置された第１遮断器を収納する第１遮断器コンパートメントと、下段側に配置された第２遮断器を収納する第２遮断器コンパートメントと、前記第１遮断器コンパートメントの上方側に配置された第１制御機器コンパートメントと、前記第２遮断器コンパートメントの上方側に配置された第２制御機器コンパートメントと、前記第１遮断器コンパートメントに設けられた第１遮断器扉と、前記第２遮断器コンパートメントに設けられた第２遮断器扉と、前記第１制御機器コンパートメントに設けられた第１制御機器扉と、前記第２制御機器コンパートメントに設けられた第２制御機器扉とを有するスイッチギヤであって、下段側の前記第２制御機器扉に配置された前記第１制御機器コンパートメントの制御機器を操作する第１制御機器操作パネルと、下段側の前記第２制御機器扉に前記第１制御機器操作パネルととともに配置された前記第２制御機器コンパートメントの制御機器を操作する第２制御機器操作パネルとを備えたことを特徴とするスイッチギヤ。
【請求項９】
上段側に配置された第１遮断器を収納する第１遮断器コンパートメントと、下段側に配置された第２遮断器を収納する第２遮断器コンパートメントと、前記第１遮断器コンパートメントの上方側に配置された第１制御機器コンパートメントと、前記第２遮断器コンパートメントの上方側に配置された第２制御機器コンパートメントと、前記第１遮断器コンパートメントに設けられた第１遮断器扉と、前記第２遮断器コンパートメントに設けられた第２遮断器扉と、前記第１制御機器コンパートメントに設けられた第１制御機器扉と、前記第２制御機器コンパートメントに設けられた第２制御機器扉とを有するスイッチギヤであって、下段側の前記第２制御機器扉に配置された前記第１制御機器コンパートメントの制御機器を操作する第１制御機器操作パネルと、下段側の前記第２制御機器扉に前記第１制御機器操作パネルととともに配置された前記第２制御機器コンパートメントの制御機器を操作する第２制御機器操作パネルと、上段側の前記第１制御機器操作パネルを目視により確認可能な第１識別表示体と、下段側の前記第２制御機器操作パネルを目視により確認可能な第２識別表示体とを備えたことを特徴とするスイッチギヤ。
【請求項１０】
前記第１制御機器操作パネルと前記第２制御機器操作パネルとは水平方向に対し同じ高さ位置に配置されたことを特徴とする請求項８または請求項９に記載のスイッチギヤ。
【請求項１１】
前記第１制御機器操作パネルと前記第２制御機器操作パネルとは水平方向に対し相違する高さ位置に配置されたことを特徴とする請求項８または請求項９に記載のスイッチギヤ。
【請求項１２】
前記第１識別表示体は前記第１制御機器操作パネルから上段側に向けて配線された配線模擬表示からなり、前記第２識別表示体は前記第２制御機器操作パネルから下段側に向けて配線された配線模擬表示からなることを特徴とする請求項９に記載のスイッチギヤ。
【請求項１３】
前記第１識別表示体は前記第１制御機器操作パネルの周囲を囲繞し矢視が上段側に向いた矢印表示からなり、前記第２識別表示体は前記第２制御機器操作パネルの周囲を囲繞し矢視が下段側に向いた矢印表示からなることを特徴とする請求項９に記載のスイッチギヤ。
【請求項１４】
前記第１識別表示体は前記第１制御機器操作パネルの近傍に位置し矢視が上段側に向いた矢印表示からなり、前記第２識別表示体は前記第２制御機器操作パネルの近傍に位置し矢視が下段側に向いた矢印表示からなることを特徴とする請求項９に記載のスイッチギヤ。
【請求項１５】
前記第１識別表示体は前記第１制御機器操作パネルの左側に位置し矢視が上段側に向いた矢印表示からなり、前記第２識別表示体は前記第２制御機器操作パネルの右側に位置し矢視が下段側に向いた矢印表示からなることを特徴とする請求項１４に記載のスイッチギヤ。
【発明の詳細な説明】
【技術分野】
【０００１】
この発明は、例えば遮断器が多段積された金属閉鎖形のスイッチギヤに関するものである。
【背景技術】
【０００２】
従来のスイッチギヤは、遮断器が例えば上段側と下段側に多段積され、上段側遮断器の上側に上段側制御機器が配置され、下段側遮断器の上側に下段側制御機器が配置されている。【０００３】
上段側制御機器扉の裏面には制御機器が取付けられ、下段側制御機器扉の裏面には制御機器が取付けられている。各制御機器の操作は各制御機器扉を閉じたままで操作可能とする必要がある。【０００４】
例えば、上段側遮断器の中央部に上段側制御機器の操作パネルが配置され、下段側遮断器の中央部に下段側制御機器の操作パネルが配置されている。【０００５】
上段側遮断器の中央部に配置した上段側制御機器の操作パネルを操作して上段側制御機器を制御し、下段側遮断器の中央部に配置した下段側制御機器の操作パネルを操作して下段側制御機器を制御している。
【先行技術文献】
【特許文献】
【０００６】
【特許文献１】特開平１０−２５７６１３号公報
【発明の概要】
【発明が解決しようとする課題】
【０００７】
上述した従来のスイッチギヤにおいては、上段側制御機器の操作パネルが上段側遮断器の中央部に配置され、下段側制御機器の操作パネルが下段側遮断器の中央部に配置されており、特に上段側制御機器の操作パネルは通常地表から高さ２ｍ付近に配置されることになる。したがって、上段側制御機器の操作パネルを操作するには脚立などを使用して操作する必要があるという問題があった。【０００８】
この発明は、上記のような課題を解決するためになされたものであり、その目的は、脚立を使用することなく、制御機器の操作パネルを操作することができるスイッチギヤを提供するものである。
【課題を解決するための手段】
【０００９】
この発明に係わるスイッチギヤは、多段積された遮断器をそれぞれ収納する複数の遮断器コンパートメントと、前記遮断器コンパートメントの上方側にそれぞれ配置された制御機器コンパートメントと、前記遮断器コンパートメントにそれぞれ設けられた遮断器扉と、前記制御機器コンパートメントにそれぞれ設けられた制御機器扉とを有するスイッチギヤであって、最下段側の前記制御機器扉に複数の制御機器操作パネルが配置され、前記制御機器コンパートメントのそれぞれの制御機器を操作するものである。【００１０】
また、この発明に係わるスイッチギヤは、多段積された遮断器をそれぞれ収納する複数の遮断器コンパートメントと、前記遮断器コンパートメントの上方側にそれぞれ配置された制御機器コンパートメントと、前記遮断器コンパートメントにそれぞれ設けられた遮断器扉と、前記制御機器コンパートメントにそれぞれ設けられた制御機器扉とを有するスイッチギヤであって、最下段側の前記制御機器扉に集約して配置された前記制御機器コンパートメントのそれぞれの制御機器を操作する制御機器操作パネルと、上段側の前記制御機器操作パネルを目視により確認可能な第１識別表示体と、下段側の前記制御機器操作パネルを目視により確認可能な第２識別表示体とを備えたものである。【００１１】
また、この発明に係わるスイッチギヤは、上段側に配置された第１遮断器を収納する第１遮断器コンパートメントと、下段側に配置された第２遮断器を収納する第２遮断器コンパートメントと、前記第１遮断器コンパートメントの上方側に配置された第１制御機器コンパートメントと、前記第２遮断器コンパートメントの上方側に配置された第２制御機器コンパートメントと、前記第１遮断器コンパートメントに設けられた第１遮断器扉と、前記第２遮断器コンパートメントに設けられた第２遮断器扉と、前記第１制御機器コンパートメントに設けられた第１制御機器扉と、前記第２制御機器コンパートメントに設けられた第２制御機器扉とを有するスイッチギヤであって、下段側の前記第２制御機器扉に配置された前記第１制御機器コンパートメントの制御機器を操作する第１制御機器操作パネルと、下段側の前記第２制御機器扉に前記第１制御機器操作パネルととともに配置された前記第２制御機器コンパートメントの制御機器を操作する第２制御機器操作パネルとを備えたものである。【００１２】
また、この発明に係わるスイッチギヤは、上段側に配置された第１遮断器を収納する第１遮断器コンパートメントと、下段側に配置された第２遮断器を収納する第２遮断器コンパートメントと、前記第１遮断器コンパートメントの上方側に配置された第１制御機器コンパートメントと、前記第２遮断器コンパートメントの上方側に配置された第２制御機器コンパートメントと、前記第１遮断器コンパートメントに設けられた第１遮断器扉と、前記第２遮断器コンパートメントに設けられた第２遮断器扉と、前記第１制御機器コンパートメントに設けられた第１制御機器扉と、前記第２制御機器コンパートメントに設けられた第２制御機器扉とを有するスイッチギヤであって、下段側の前記第２制御機器扉に配置された前記第１制御機器コンパートメントの制御機器を操作する第１制御機器操作パネルと、下段側の前記第２制御機器扉に前記第１制御機器操作パネルととともに配置された前記第２制御機器コンパートメントの制御機器を操作する第２制御機器操作パネルと、上段側の前記第１制御機器操作パネルを目視により確認可能な第１識別表示体と、下段側の前記第２制御機器操作パネルを目視により確認可能な第２識別表示体とを備えたものである。
【発明の効果】
【００１３】
この発明に係るスイッチギヤによれば、下段側に位置する制御機器扉に上段側の制御機器操作パネルと下段側の制御機器操作パネルを集約して配置したことにより、脚立を使用することなく、各制御機器操作パネルを操作することができるスイッチギヤを得ることができる。
【図面の簡単な説明】
【００１４】
【図１】この発明の実施の形態１に係わるスイッチギヤを示す側断面図である。
【図２】この発明の実施の形態１に係わるスイッチギヤを示す正面図である。
【図３】この発明の実施の形態１に係わるスイッチギヤの要部を示す要部拡大正面図である。
【図４】この発明の実施の形態２に係わるスイッチギヤの要部を示す要部拡大正面図である。
【図５】この発明の実施の形態３に係わるスイッチギヤの要部を示す要部拡大正面図である。
【図６】この発明の実施の形態４に係わるスイッチギヤの要部を示す要部拡大正面図である。
【図７】この発明の実施の形態５に係わるスイッチギヤの要部を示す要部拡大正面図である。
【発明を実施するための形態】
【００１５】
実施の形態１．
以下、この発明の実施の形態１を図１から図３に基づいて説明するが、各図において、同一、または相当部材、部位については同一符号を付して説明する。図１はこの発明の実施の形態１に係わるスイッチギヤを示す側断面図である。図２はこの発明の実施の形態１に係わるスイッチギヤを示す正面図である。図３はこの発明の実施の形態１に係わるスイッチギヤの要部を示す要部拡大正面図である。
【００１６】
これら各図において、筐体１は複数のコンパートメントに区切りされるとともに、遮断器が上下方向に多段積、例えば２段積された場合を示している。
【００１７】
筐体１の前面側で、上段側に第１遮断器コンパートメント２を配置し、下段側に第２遮断器コンパートメント３を配置している。第１遮断器コンパートメント２には第１遮断器４が配置され、第２遮断器コンパートメント３には第２遮断器５が配置されている。
【００１８】
第１遮断器コンパートメント２の上方側には第１制御機器コンパートメント６が配置され、第２遮断器コンパートメント３の上方側には第２制御機器コンパートメント７が配置されている。
【００１９】
第１遮断器コンパートメント２には第１遮断器扉８が配置され、第１制御機器コンパートメント６には第１制御機器扉９が配置され、第２遮断器コンパートメント３には第２遮断器扉１０が配置され、第２制御機器コンパートメント７には第２制御機器扉１１が配置されている。第１制御機器コンパートメント６あるいは第１制御機器扉９の裏面には第１制御機器（図示せず）が配置され、第２制御機器コンパートメント７あるいは第２制御機器扉１１の裏面には第２制御機器（図示せず）が配置されている。
【００２０】
筐体１の後面側で、上段側に第１ケーブルコンパートメント１２を配置し、下段側に第２ケーブルコンパートメント１３を配置している。第１ケーブルコンパートメント１２の上方側で第１遮断器コンパートメント２と隣接する第１母線コンパートメント１４を配置し、第２ケーブルコンパートメント１３の上方側で第２遮断器コンパートメント３と隣接する第２母線コンパートメント１５を配置している。
【００２１】
第１母線コンパートメント１４には複数の第１母線１６が配置され、各第１母線１６は第１電源側ジャンクション１７と接続導体１８によって接続されている。第２母線コンパートメント１５には複数の第２母線１９が配置され、各第２母線１９は第２電源側ジャンクション２０と接続導体２１によって接続されている。
【００２２】
第１ケーブルコンパートメント１２には第１変流器２２が配置され、第１変流器２２は第１負荷側ジャンクション２３と接続導体２４によって接続されるとともに、第１変流器２２は第１ケーブル２５と接続導体２６によって接続されている。
【００２３】
第２ケーブルコンパートメント１３には第２変流器２７が配置され、第２変流器２７は第２負荷側ジャンクション２８と接続導体２９によって接続されるとともに、第２変流器２７は第２ケーブル３０と接続導体３１によって接続されている。
【００２４】
第１ケーブル２５と第２ケーブル３０とは第２ケーブルコンパートメント１３に設けたケーブル仕切板３２により仕切られている。第１ケーブル２５と第２ケーブル３０との絶縁距離が充分確保されている場合には、ケーブル仕切板３２は必ずしも設ける必要はない。
【００２５】
第１ケーブルコンパートメント１２には第１負荷側ジャンクション２３と接続された第１接地開閉器３３が配置され、第２ケーブルコンパートメント１３には第２負荷側ジャンクション２８と接続された第２接地開閉器３４が配置されている。筐体１の背面には、第１ケーブルコンパートメント１２を閉塞する第１背板３５と、第２ケーブルコンパートメント１３を閉塞する第２背板３６とを設けている。
【００２６】
第１遮断器コンパートメント２の上部の筐体天板１ａに放圧フラッパ３７を有する換気筒３８が配置され、第１母線コンパートメント１４の上部の筐体天板１ｂに放圧フラッパ３９を有する換気筒４０が配置され、第１ケーブルコンパートメント１２の上部の筐体天板１ｃに放圧フラッパ４１を有する換気筒４２が配置されている。
【００２７】
第１遮断器扉８にはその第１遮断器扉８を開閉する第１遮断器ハンドル４３が設けられ、第２遮断器扉１０にはその第２遮断器扉１０を開閉する第２遮断器ハンドル４４が設けられている。
【００２８】
下段側の第２制御機器扉１１の例えば左側に、第１制御機器コンパートメント６あるいは第１制御機器扉９の裏面に配置された第１制御機器（図示せず）を制御操作する第１制御機器操作パネル４５を配置し、下段側の第２制御機器扉１１の例えば右側に、第２制御機器コンパートメント７あるいは第２制御機器扉１１の裏面に配置された第２制御機器（図示せず）を制御操作する第２制御機器操作パネル５０を配置し、第１制御機器操作パネル４５および第２制御機器操作パネル５０を下段側の第２制御機器扉１１に集約して配置されている。
【００２９】
第１制御機器操作パネル４５は、例えば第１ディスプレイ４６と、第１ＬＥＤ４７と、第１操作ボタン４８とにより構成され、第２制御機器操作パネル５０は、例えば第２ディスプレイ５１と、第２ＬＥＤ５２と、第２操作ボタン５３とにより構成された場合を示している。第１制御機器操作パネル４５の下方側に第１テスト端子４９が配置され、第２制御機器操作パネル５０の下方側に第２テスト端子５４が配置されている。
【００３０】
このように、第１制御機器操作パネル４５および第２制御機器操作パネル５０を下段側の第２制御機器扉１１に集約して配置したことにより、地表からの高さが例えば１ｍ５０ｃｍ以下の位置に配置することができ、脚立などを使用することなく操作することができる。なお、スイッチギヤの操作位置が地表からの高さ例えば１ｍ５０ｃｍ以下の位置に指定される地域においては特に有効なものとなる。
【００３１】
下段側の第２制御機器扉１１に第１制御機器操作パネル４５および第２制御機器操作パネル５０を集約して配置したことにより、誤操作を防止するため、第１制御機器操作パネル４５あるいは第２制御機器操作パネル５０のどちらが上段側か、下段側かを目視だけで一目瞭然に判別することができるよう、例えば第１制御機器操作パネル４５から上段側に向けて配線された貼付可能なシール状の配線模擬表示からなる第１識別表示体５５を設け、例えば第２制御機器操作パネル５０から下段側に向けて配線された貼付可能なシール状の配線模擬表示からなる第２識別表示体５６を設けた場合を示している。第１識別表示体５５および第２識別表示体５６は第２制御機器扉１１に貼付された場合を示しているが、第１識別表示体５５および第２識別表示体５６は第２制御機器扉１１に直接設けても同様の効果を奏する。
【００３２】
この実施の形態１においては、第１遮断器扉８および第２遮断器扉１０には各制御機器の操作パネルを設けておらず、第１遮断器コンパートメント２、第２遮断器コンパートメント３のそれぞれが遮断器系統のみとなり、簡素化された構成となっている。
【００３３】
また、この実施の形態１においては、下段側に位置する第２制御機器扉１１に、第１制御機器コンパートメント６あるいは第１制御機器扉９の裏面に配置された第１制御機器（図示せず）を制御操作する第１制御機器操作パネル４５と、第２制御機器コンパートメント７あるいは第２制御機器扉１１の裏面に配置された第２制御機器（図示せず）を制御操作する第２制御機器操作パネル５０とを集約して配置したことにより、地表からの高さが例えば１ｍ５０ｃｍ以下の位置に配置することができるので、脚立などを使用することなく、第１制御機器操作パネル４５および第２制御機器操作パネル５０を制御操作、あるいは保守時のメンテナンス操作させることができる。したがって、操作あるいはメンテナンス時間の削減を図ることができる。
【００３４】
また、第１制御機器操作パネル４５あるいは第２制御機器操作パネル５０のどちらが上段側か、下段側かを第１識別表示体５５あるいは第２識別表示体５６により、目視だけで一目瞭然に判別することができるので、視認性の向上を図ることができ、誤操作を防止することができるので安全性の向上を図ることができる。
【００３５】
実施の形態２．
この発明の実施の形態２を図４に基づいて説明する。図４はこの発明の実施の形態２に係わるスイッチギヤの要部を示す要部拡大正面図である。
【００３６】
上述した実施の形態１においては、第１識別表示体５５あるいは第２識別表示体５６が貼付可能なシール状の配線模擬表示からなる場合について述べたが、この実施の形態２においては、第１制御機器操作パネル４５あるいは第２制御機器操作パネル５０の周囲を囲繞して配置された矢印表示からなる第１識別表示体５７あるいは第２識別表示体５８とし、第２制御機器扉１１に貼付された場合を示している。
【００３７】
第１識別表示体５７は第１制御機器操作パネル４５の周囲を囲繞し矢視が上段側に向いた矢印表示からなり、第２識別表示体５８は第２制御機器操作パネル５０の周囲を囲繞し矢視が下段側に向いた矢印表示からなる場合を示している。第１識別表示体５７および第２識別表示体５８は第２制御機器扉１１に貼付された場合を示しているが、第１識別表示体５７および第２識別表示体５８は第２制御機器扉１１に直接設けても同様の効果を奏する。
【００３８】
このように、第１制御機器操作パネル４５あるいは第２制御機器操作パネル５０のどちらが上段側か、下段側かを、上段側に矢視が向いた第１識別表示体５７により第１制御機器操作パネル４５が上段側であり、下段側に矢視が向いた第２識別表示体５８により第２制御機器操作パネル５０が下段側であると、目視だけで一目瞭然に判別することができるので、視認性の向上をより一層図ることができ、誤操作を防止することができるので安全性の向上をより一層図ることができる。
【００３９】
実施の形態３．
この発明の実施の形態３を図５に基づいて説明する。図５はこの発明の実施の形態３に係わるスイッチギヤの要部を示す要部拡大正面図である。
【００４０】
上述した実施の形態２においては、第１識別表示体５７が第１制御機器操作パネル４５の周囲を囲繞し矢視が上段側に向いた矢印表示からなり、第２識別表示体５８が第２制御機器操作パネル５０の周囲を囲繞し矢視が下段側に向いた矢印表示からなる場合について述べたが、この実施の形態３においては、第１制御機器操作パネル４５あるいは第２制御機器操作パネル５０の周囲を囲繞することなく、第２制御機器扉１１に配置された矢印表示からなる第１識別表示体５９あるいは第２識別表示体６０とし、第２制御機器扉１１に貼付された場合を示している。
【００４１】
第１識別表示体５９は第１制御機器操作パネル４５の近傍、例えば左側に位置し矢視が上段側に向いた矢印表示からなり、第２識別表示体６０は第２制御機器操作パネル５０の近傍、例えば右側に位置し矢視が下段側に向いた矢印表示からなる場合を示している。第１識別表示体５９および第２識別表示体６０は第２制御機器扉１１に貼付された場合を示しているが、第１識別表示体５９および第２識別表示体６０は第２制御機器扉１１に直接設けても同様の効果を奏する。
【００４２】
このように、第１制御機器操作パネル４５あるいは第２制御機器操作パネル５０のどちらが上段側か、下段側かを、上段側に矢視が向いた第１識別表示体５９により第１制御機器操作パネル４５が上段側であり、下段側に矢視が向いた第２識別表示体６０により第２制御機器操作パネル５０が下段側であると、目視だけで一目瞭然に判別することができるので、視認性の向上をより一層図ることができ、誤操作を防止することができるので安全性の向上をより一層図ることができる。
【００４３】
実施の形態４．
この発明の実施の形態４を図６に基づいて説明する。図６はこの発明の実施の形態４に係わるスイッチギヤの要部を示す要部拡大正面図である。
【００４４】
上述した各実施の形態においては、下段側に位置する第２制御機器扉１１に配置した第１制御機器操作パネル４５と第２制御機器操作パネル５０が水平方向において同じ高さ位置の場合について述べたが、これに限定されるものではない。
【００４５】
この実施の形態４においては、例えば第１制御機器操作パネル４５の位置は上述した各実施の形態と同じ位置とし、第２制御機器操作パネルの位置を第１制御機器操作パネル４５の位置より下方側に位置するように配置したものである。
【００４６】
すなわち、第２制御機器操作パネル６１は、例えば第２ディスプレイ６２と、第２ＬＥＤ６３と、第２操作ボタン６４とにより構成された場合を示し、第１制御機器操作パネル４５の位置より下方側に位置するように配置されている。第２制御機器操作パネル６１の上方側に第２テスト端子６５が配置されている。
【００４７】
こように、第２制御機器操作パネル６１を水平方向において第１制御機器操作パネル４５の位置より下方側に位置するように配置しても、上述した各実施の形態と同様の効果を奏する。
【００４８】
実施の形態５．
この発明の実施の形態５を図７に基づいて説明する。図７はこの発明の実施の形態５に係わるスイッチギヤの要部を示す要部拡大正面図である。
【００４９】
上述した実施の形態４においては、第２制御機器操作パネル６１を水平方向において第１制御機器操作パネル４５の位置より下方側に位置するように配置した場合について述べたが、この実施の形態５においては、第２制御機器操作パネル５０の位置は上述した実施の形態１〜３と同じ位置とし、第１制御機器操作パネルの位置を第２制御機器操作パネル５０の位置より下方側に位置するように配置したものである。
【００５０】
すなわち、第１制御機器操作パネル６６は、例えば第１ディスプレイ６７と、第１ＬＥＤ６８と、第１操作ボタン６９とにより構成された場合を示し、第２制御機器操作パネル５０の位置より下方側に位置するように配置されている。第１制御機器操作パネル６６の上方側に第１テスト端子７０が配置されている。
【００５１】
こように、第１制御機器操作パネル６６を水平方向において第２制御機器操作パネル５０の位置より下方側に位置するように配置しても、上述した各実施の形態と同様の効果を奏する。
【００５２】
なお、上述した各実施の形態において、第１制御機器操作パネル４５が第１ディスプレイ４６と、第１ＬＥＤ４７と、第１操作ボタン４８とにより構成され、第１制御機器操作パネル６６が第１ディスプレイ６７と、第１ＬＥＤ６８と、第１操作ボタン６９とにより構成され、第２制御機器操作パネル５０が第２ディスプレイ５１と、第２ＬＥＤ５２と、第２操作ボタン５３とにより構成され、第２制御機器操作パネル６１が第２ディスプレイ６２と、第２ＬＥＤ６３と、第２操作ボタン６４とにより構成された場合について述べたが、これに限定されるものではなく、その他の構成のものでもよく、同様の効果を奏する。
【００５３】
なお、上述した実施の形態４および実施の形態５においては、第２制御機器扉１１の例えば左右に矢印表示からなる第１識別表示体５９、第２識別表示体６０とした場合について述べたが、上述した実施の形態１における第１識別表示体５５、第２識別表示体５６としてもよく、あるいは上述した実施の形態２における第１識別表示体５７、第２識別表示体５８としてもよく、同様の効果を奏する。
【００５４】
また、上述した実施の形態３から実施の形態５において、第１識別表示体５９は第１制御機器操作パネル４５の左側に配置し、第２識別表示体６０は第２制御機器操作パネル５０の右側に配置した場合について述べたが、これに限定されるものではなく、第１識別表示体５９を第１制御機器操作パネル４５の右側に配置し、第２識別表示体６０を第２制御機器操作パネル５０の左側に配置するようにしてもよい。このように、目視だけで一目瞭然に判別することができる第１識別表示体、第２識別表示体であればよく、同様の効果を奏する。
【００５５】
また、上述した各実施の形態における第１識別表示体５５，５７，５９と、第２識別表示体５６，５８，６０は一例であり、目視だけで一目瞭然に判別することができる第１識別表示体、第２識別表示体であればよく、同様の効果を奏する。
【００５６】
ところで、上述した各実施の形態においては、第１母線コンパートメントと第２母線コンパートメントとがそれぞれ分離して設けた場合について述べたが、これに限定されるものではなく、第１母線コンパートメントと第２母線コンパートメントとを一つの母線コンパートメントとしてもよく、また、第１ケーブルコンパートメントと第２ケーブルコンパートメントとがそれぞれ分離して設けた場合について述べたが、これに限定されるものではなく、第１ケーブルコンパートメントと第２ケーブルコンパートメントとを一つのケーブルコンパートメントとしてもよく、上述した各実施の形態と同様の効果を奏する。
【００５７】
また、上述した各実施の形態においては、遮断器が２段積構成された場合について述べたが、これに限定されるものではなく、遮断器が２段積以上、例えば３段積構成される場合についても適用することができ、最下段側の制御機器扉に３つの識別表示体を集約して配置すればよく、同様の効果を奏する。
【００５８】
なお、この発明は、その発明の範囲内において、各実施の形態を自由に組み合わせたり、各実施の形態を適宜、変形、省略することが可能である。
【産業上の利用可能性】
【００５９】
この発明は、操作性に優れた信頼性の高いスイッチギヤの実現に好適である。
【符号の説明】
【００６０】
１  筐体、２ 第１遮断器コンパートメント、３  第２遮断器コンパートメント、４  第１遮断器、５  第２遮断器、６  第１制御機器コンパートメント、７  第２制御機器コンパートメント、８  第１遮断器扉、９  第１制御機器扉、１０  第２遮断器扉、１１  第２制御機器扉、４５  第１制御機器操作パネル、５０  第２制御機器操作パネル、５５  第１識別表示体、５６  第２識別表示体、５７  第１識別表示体、５８  第２識別表示体、５９  第１識別表示体、６０  第２識別表示体、６１  第２制御機器操作パネル、６６  第１制御機器操作パネル
【図１】
2019123641.tif 000003
【図２】
2019123641.tif 000004
【図３】
2019123641.tif 000005
【図４】
2019123641.tif 000006
【図５】
2019123641.tif 000007
【図６】
2019123641.tif 000008
【図７】
2019123641.tif 000009
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
多段積された遮断器をそれぞれ収納する複数の遮断器コンパートメントと、前記遮断器コンパートメントの上方側にそれぞれ配置された制御機器コンパートメントと、前記遮断器コンパートメントにそれぞれ設けられた遮断器扉と、前記制御機器コンパートメントにそれぞれ設けられた制御機器扉とを有するスイッチギヤであって、最下段側の前記制御機器扉に配置された前記制御機器コンパートメントのそれぞれの制御機器を操作する制御機器操作パネルと、一方側の前記制御機器操作パネルから上段側の前記遮断器扉側に向けて配置され、上段側の前記制御機器操作パネルを目視により一目瞭然に判別できる第１識別表示体と、他方側の前記制御機器操作パネルから下段側の前記遮断器扉側に向けて配置され、下段側の前記制御機器操作パネルを目視により一目瞭然に判別できる第２識別表示体とを備えたことを特徴とするスイッチギヤ。
【請求項２】
複数の前記制御機器操作パネルは水平方向に対し同じ高さ位置に配置されたことを特徴とする請求項１に記載のスイッチギヤ。
【請求項３】
複数の前記制御機器操作パネルは水平方向に対し相違する高さ位置に配置されたことを特徴とする請求項１に記載のスイッチギヤ。
【請求項４】
前記第１識別表示体は一方側の前記制御機器操作パネルから上段側の前記遮断器扉側に向けて配線された配線模擬表示からなり、前記第２識別表示体は他方側の前記制御機器操作パネルから下段側の前記遮断器扉側に向けて配線された配線模擬表示からなることを特徴とする請求項１に記載のスイッチギヤ。
【請求項５】
前記第１識別表示体は一方側の前記制御機器操作パネルの周囲を囲繞し矢視が上段側の前記遮断器扉側に向いた矢印表示からなり、前記第２識別表示体は他方側の前記制御機器操作パネルの周囲を囲繞し矢視が下段側の前記遮断器扉側に向いた矢印表示からなることを特徴とする請求項１に記載のスイッチギヤ。
【請求項６】
前記第１識別表示体は一方側の前記制御機器操作パネルの左側に位置し矢視が上段側の前記遮断器扉側に向いた矢印表示からなり、前記第２識別表示体は他方側の前記制御機器操作パネルの右側に位置し矢視が下段側の前記遮断器扉側に向いた矢印表示からなることを特徴とする請求項１に記載のスイッチギヤ。
【請求項７】
上段側に配置された第１遮断器を収納する第１遮断器コンパートメントと、下段側に配置された第２遮断器を収納する第２遮断器コンパートメントと、前記第１遮断器コンパートメントの上方側に配置された第１制御機器コンパートメントと、前記第２遮断器コンパートメントの上方側に配置された第２制御機器コンパートメントと、前記第１遮断器コンパートメントに設けられた第１遮断器扉と、前記第２遮断器コンパートメントに設けられた第２遮断器扉と、前記第１制御機器コンパートメントに設けられた第１制御機器扉と、前記第２制御機器コンパートメントに設けられた第２制御機器扉とを有するスイッチギヤであって、下段側の前記第２制御機器扉に配置された前記第１制御機器コンパートメントの制御機器を操作する第１制御機器操作パネルと、下段側の前記第２制御機器扉に前記第１制御機器操作パネルととともに配置された前記第２制御機器コンパートメントの制御機器を操作する第２制御機器操作パネルと、一方側の前記第１制御機器操作パネルから上段側の前記第１遮断器扉側に向けて配置され、上段側の前記第１制御機器操作パネルを目視により一目瞭然に判別できる第１識別表示体と、他方側の前記第２制御機器操作パネルから下段側の前記第２遮断器扉側に向けて配置され、下段側の前記第２制御機器操作パネルを目視により一目瞭然に判別できる第２識別表示体とを備えたことを特徴とするスイッチギヤ。
【請求項８】
前記第１制御機器操作パネルと前記第２制御機器操作パネルとは水平方向に対し同じ高さ位置に配置されたことを特徴とする請求項７に記載のスイッチギヤ。
【請求項９】
前記第１制御機器操作パネルと前記第２制御機器操作パネルとは水平方向に対し相違する高さ位置に配置されたことを特徴とする請求項７に記載のスイッチギヤ。
【請求項１０】
前記第１識別表示体は前記第１制御機器操作パネルから上段側の前記第１遮断器扉側に向けて配線された配線模擬表示からなり、前記第２識別表示体は前記第２制御機器操作パネルから下段側の前記第２遮断器扉側に向けて配線された配線模擬表示からなることを特徴とする請求項７に記載のスイッチギヤ。
【請求項１１】
前記第１識別表示体は前記第１制御機器操作パネルの周囲を囲繞し矢視が上段側の前記第１遮断器扉側に向いた矢印表示からなり、前記第２識別表示体は前記第２制御機器操作パネルの周囲を囲繞し矢視が下段側の前記第２遮断器扉側に向いた矢印表示からなることを特徴とする請求項７に記載のスイッチギヤ。
【請求項１２】
前記第１識別表示体は前記第１制御機器操作パネルの付近に位置し矢視が上段側の前記第１遮断器扉側に向いた矢印表示からなり、前記第２識別表示体は前記第２制御機器操作パネルの付近に位置し矢視が下段側の前記第２遮断器扉側に向いた矢印表示からなることを特徴とする請求項７に記載のスイッチギヤ。
【請求項１３】
前記第１識別表示体は前記第１制御機器操作パネルの左側に位置し矢視が上段側の前記第１遮断器扉側に向いた矢印表示からなり、前記第２識別表示体は前記第２制御機器操作パネルの右側に位置し矢視が下段側の前記第２遮断器扉側に向いた矢印表示からなることを特徴とする請求項１２に記載のスイッチギヤ。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
この発明に係わるスイッチギヤは、多段積された遮断器をそれぞれ収納する複数の遮断器コンパートメントと、前記遮断器コンパートメントの上方側にそれぞれ配置された制御機器コンパートメントと、前記遮断器コンパートメントにそれぞれ設けられた遮断器扉と、前記制御機器コンパートメントにそれぞれ設けられた制御機器扉とを有するスイッチギヤであって、最下段側の前記制御機器扉に集約して配置された前記制御機器コンパートメントのそれぞれの制御機器を操作する制御機器操作パネルと、一方側の前記制御機器操作パネルから上段側の前記遮断器扉側に向けて配置され、上段側の前記制御機器操作パネルを目視により一目瞭然に判別できる第１識別表示体と、他方側の前記制御機器操作パネルから下段側の前記遮断器扉側に向けて配置され、下段側の前記制御機器操作パネルを目視により一目瞭然に判別できる第２識別表示体とを備えたものである。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、この発明に係わるスイッチギヤは、上段側に配置された第１遮断器を収納する第１遮断器コンパートメントと、下段側に配置された第２遮断器を収納する第２遮断器コンパートメントと、前記第１遮断器コンパートメントの上方側に配置された第１制御機器コンパートメントと、前記第２遮断器コンパートメントの上方側に配置された第２制御機器コンパートメントと、前記第１遮断器コンパートメントに設けられた第１遮断器扉と、前記第２遮断器コンパートメントに設けられた第２遮断器扉と、前記第１制御機器コンパートメントに設けられた第１制御機器扉と、前記第２制御機器コンパートメントに設けられた第２制御機器扉とを有するスイッチギヤであって、下段側の前記第２制御機器扉に配置された前記第１制御機器コンパートメントの制御機器を操作する第１制御機器操作パネルと、下段側の前記第２制御機器扉に前記第１制御機器操作パネルととともに配置された前記第２制御機器コンパートメントの制御機器を操作する第２制御機器操作パネルと、一方側の前記第１制御機器操作パネルから上段側の前記第１遮断器扉側に向けて配置され、上段側の前記第１制御機器操作パネルを目視により一目瞭然に判別できる第１識別表示体と、他方側の前記第２制御機器操作パネルから下段側の前記第２遮断器扉側に向けて配置され、下段側の前記第２制御機器操作パネルを目視により一目瞭然に判別できる第２識別表示体とを備えたものである。
【国際調査報告】
2019123641.tif 000010
2019123641.tif 000011
2019123641.tif 000012
2019123641.tif 000013